(57)【特許請求の範囲】
【請求項１】
装置本体に設けられた表示窓を照光する照光体を有し、
前記照光体は光源側に設けられ光透過性の高い樹脂からなる第１照光部材と、
前記表示窓側に設けられ光透過性の低い樹脂からなる第２照光部材
を有し、
前記第１照光部材と前記第２照光部材とが二色成形により形成されており、
少なくとも光源からの光路上において前記第１照光部材と前記第２照光部材の間に隙間が形成され、
前記第１照光部材は、前記隙間を挟んで対向し、それぞれ前記表示窓側に突出した第１脚部及び第２脚部を有し、
前記第１脚部及び前記第２脚部の前記表示窓側の端部がそれぞれ前記第２照光部材に接合されており、
前記第２照光部材の光路上における前記第１照光部材の対向面には光集光用の傾斜面または曲面が形成されていることを特徴とする表示装置。
【請求項２】
前記第２照光部材は前記表示窓と同形状の図形表示部と前記図形表示部の基部に一体成形され前記装置本体の背面側に配置されるフランジ部を有することを特徴とする請求項１に記載の表示装置。
【請求項３】
前記フランジ部の前記光源側の下面が前記第１脚部及び前記第２脚部によって受け止められており、
前記第１脚部と前記第２脚部との間の幅に比べて前記図形表示部の幅が狭い、
請求項２に記載の表示装置。
【請求項４】
装置本体に設けられた表示窓を照光する照光体を有し、
前記照光体は光源側に設けられ光透過性の高い樹脂からなる第１照光部材と、
前記表示窓側に設けられ光透過性の低い樹脂からなる第２照光部材
を有し、
前記第１照光部材と前記第２照光部材とが二色成形により形成されており、
少なくとも光源からの光路上において前記第１照光部材と前記第２照光部材の間に隙間が形成され、
前記第１照光部材は、前記隙間を挟んで対向し、それぞれ前記表示窓側に突出した第１脚部及び第２脚部を有し、
前記第１脚部及び前記第２脚部の前記表示窓側の端部がそれぞれ前記第２照光部材に接合されており、
前記第２照光部材は前記表示窓と同形状の図形表示部と前記図形表示部の基部に一体成形され前記装置本体の背面側に配置されるフランジ部を有し、
前記フランジ部の前記光源側の下面が前記第１脚部及び前記第２脚部によって受け止められており、
前記第１脚部と前記第２脚部との間の幅に比べて前記図形表示部の幅が狭い、
表示装置。
【請求項５】
前記第２照光部材は前記装置本体の表面の色と同系色の樹脂により成形されていることを特徴とする請求項１〜請求項４のいずれかに記載の表示装置。
【請求項６】
前記第１照光部材の光路上における前記第２照光部材の対向面には光拡散用の傾斜面または曲面が形成されていることを特徴とする請求項１〜請求項５のいずれかに記載の表示装置。
【請求項７】
請求項１〜請求項６のいずれかに記載の表示装置を備えたことを特徴とする操作スイッチ。
【発明の詳細な説明】
【技術分野】
【０００１】
本発明は、装置本体に設けられた表示窓を照光する照光体を有する表示装置及びその表示装置を備えた操作スイッチに関し、特に車載用操作スイッチに適用して好適なものに関する。
【背景技術】
【０００２】
従来、自動車等に搭載されている操作スイッチの操作ボタンには、例えば操作ボタンのＯＮ／ＯＦＦ動作を切り替え表示する表示装置が設けられている。
上記表示装置は装置本体を構成する操作ボタンに形成された表示窓を照光する照光体を有している。照光体は、操作スイッチの未使用時には、表示窓が目立つことがなく、表示装置の高級感が得られるように操作ボタンの表面の色と同色の樹脂により成形されているものが多い。したがって、照光体の樹脂の色は光透過性の低いスモーク色としているものが多い。
【０００３】
ところで、照光体をスモーク色の樹脂で成形すると、操作スイッチの使用時に、表示窓を照光する照光体の輝度が小さくなり、表示窓の照光が不十分となり、表示窓を視認しにくくなる。
【０００４】
そこで、光源側に配置され光透過性の高い樹脂からなる第１成形部材と、表示窓側に配置され光透過性の低い例えばスモーク色の樹脂からなる第２成形部材を接合することにより、照光体を二色成形した表示装置を備えた操作スイッチがある。このような構成の表示装置によれば、スモーク色の樹脂のみにより成形され照光体よりも表示窓を照光する輝度が大きくなり、表示窓を視認し易くなる。
【先行技術文献】
【特許文献】
【０００５】
【特許文献１】特開平１０−１１６５３６号公報
【発明の概要】
【発明が解決しようとする課題】
【０００６】
ところで、上記従来の表示装置における照光体は、光源側の第１照光部材と表示窓側の第２の照光部材を二色成形により直接面接合する構成となっている。そのために、各照光部材の接合面において樹脂が混じり合い接合ムラが出来てしまう恐れがある。各照光部材の接合面に接合ムラが生じると、表示窓へ光が拡散せず、表示窓全体を明るく照光することができないことが課題となっていた。
【０００７】
本発明はかかる事情に鑑みてなされたものであり、その目的は、未使用時には表示窓を目立たない状態に置き、使用時には大きな輝度で表示窓を照光することができる照光体を有する表示装置を提供することである。
【０００８】
また、本発明の目的は、上記表示装置を備えた操作スイッチを提供することである。
【課題を解決するための手段】
【０００９】
上記の目的を達成するために、本発明にかかる表示装置は、装置本体に設けられた表示窓を照光する照光体を有し、前記照光体は光源側に設けられ光透過性の高い樹脂からなる第１照光部材と、前記表示窓側に設けられ光透過性の低い樹脂からなる第２照光部材を有し、前記第１照光部材と前記第２照光部材とが二色成形により形成されており、少なくとも光源からの光路上において前記第１照光部材と前記第２照光部材の間に隙間が形成され、前記第１照光部材は、前記隙間を挟んで対向し、それぞれ前記表示窓側に突出した第１脚部及び第２脚部を有し、前記第１脚部及び前記第２脚部の前記表示窓側の端部がそれぞれ前記第２照光部材に接合されている。
【００１０】
この構成によれば、未使用時には表示窓を目立たない状態に置き、使用時には大きな輝度で表示窓を照光することができる。
【００１１】
好適には、前記第２照光部材は前記装置本体の表面の色と同系色の樹脂により成形されている。
この構成によれば、未使用時には表示窓を目立たない状態に置き、高級感を得ることができる。
【００１２】
好適には、前記第１照光部材の光路上における前記第２照光部材の対向面には光拡散用の傾斜面または曲面が形成されている。
この構成によれば、前記第１照光部材から出射される光の輝度を大きくすることができる。
【００１３】
好適には、前記第２照光部材の光路上における前記第１照光部材の対向面には光集光用の傾斜面または曲面が形成されている。
この構成によれば、前記第１照光部材で拡散された光を集光させて前記第２照光部材に入射することができ、光の輝度を維持することができる。
【００１４】
好適には、前記第２照光部材は前記表示窓と同形状の図形表示部と前記図形表示部の基部に一体成形され前記装置本体の背面側に配置されるフランジ部を有する。
この構成によれば、装置本体の内部が前記表示窓から露出することはなく、表示装置の外観が損なわれるようなことはない。また、装置本体内への水の浸入を防ぐことができる。
【００１５】
上記の目的を達成するために、本発明にかかる操作スイッチは、前記表示装置を備えたことである。
【００１６】
この構成によれば、操作スイッチの未使用時には前記表示窓を目立たない状態に置き、使用時には大きな輝度で表示窓を照光することができる。
【発明の効果】
【００１７】
本発明によれば、未使用時には表示部を目立たない色とし、使用時には大きな輝度で表示窓を照光することができる照光体を有する表示装置を提供することができる。
また、本発明によれば、上記表示装置を備えた操作スイッチを提供することができる。
【図面の簡単な説明】
【００１８】
【図１】本発明の実施形態に係る車載用操作スイッチの斜視図である。
【図２】車載用操作スイッチの操作ボタンの部分を示す一部切り欠き拡大斜視図である。
【図３】車載用操作スイッチの内部を示す分解斜視図である。
【図４】表示装置を構成する光路系部品の分解斜視図である。
【図５】表示装置を構成する照光体が操作ボタンに取り付けられている構造を示す拡大断面図である。
【図６】表示装置の光路を説明するための正面図である。
【発明を実施するための形態】
【００１９】
以下、図面を参照して、本発明にかかる実施形態を説明する。
図１は、本発明の実施形態にかかる車載用操作スイッチの正面図である。図２は、車載用操作スイッチの操作ボタンの部分を示す一部切り欠き拡大斜視図である。図３は、車載用操作スイッチの内部を説明するための分解斜視図である。図４は、表示装置を構成する光路系部品を説明するための分解斜視図である。図５は、表示装置を構成する照光体が操作ボタンに取り付けられている構造を示す拡大断面図である。
【００２０】
図１に示すように、車載用操作スイッチ５０は、ケース５１と、ケース５１内に揺動自在に組み込まれた操作ボタン５２を有している。車載用操作スイッチ５１は操作ボタン５２を押し込むと、スイッチがオン操作される。操作ボタン５２の手前側に形成されているフック部５４を持ち上げると、スイッチがオフ操作される。
車載用操作スイッチ５０には表示装置１が組み込まれている。操作ボタン５２が表示装置１の装置本体を構成し、操作ボタン５２には、図２に示すように、スイッチのＯＮ／ＯＦＦ動作を表示するための表示窓５５が形成されている。表示窓５５は後述する照光体２の図形表示部８Ａと同形状となっている。
【００２１】
図３に示すように、車載用操作スイッチ５０のケース５１内において、操作ボタン５２の背面側には表示窓５５を臨むように表示装置１を構成する照光体２が取り付けられている。
照光体２は、ケース５１内に組み込まれた基板３上に取り付けられた光源となるＬＥＤ４の光路上に配置されている。ケース本体５１内において、ＬＥＤ４と照光体２との間の光路上には透明もしくは乳白色の合成樹脂により成形された細長の導光部材５が組み込まれている。導光部材５と照光体２との間には、操作ボタン５３を押し込み操作したとき、照光体２が導光部材５の上端部に当接しないように隙間６が確保されている。
【００２２】
図４に示すように、導光部材５の上端面にはＬＥＤ４から入射される光を拡散するための傘状の傾斜面５Ａが突出形成されている。
【００２３】
図５に示すように、照光体２は、ＬＥＤ側である導光部材５側に配置された第１照光部材７と、表示窓５５側に配置された第２照光部材８との間の光路上に隙間９が形成されるように各照光部材７、８が接合されている。なお、各照光部材７、８は二色成形により形成されている。
第１照光部材７は光透過性の高い樹脂である例えば乳白色の合成樹脂からなり、両側部には脚部７Ａ、７Ａが形成されている。
第２照光部材８は光透過性の低い合成樹脂からなる。本実施形態においては、操作ボタン５２の操作面５３の色はスモーク色となっている。したがって、第２照光部材８の合成樹脂の色は操作ボタン５２の操作面５３と同系色の目立たないスモーク色となっている。
【００２４】
第２照光部材８は、表示窓５５に嵌め込まれる図形表示部８Ａと、図形表示部８Ａの基部に形成されたフランジ部８Ｂを有している。
フランジ部８Ｂの下面は第１成形部材７の脚部７Ａ、７Ａによって受け止められ、第２成形部材８は第１成形部材７に支持される形となっている。
フランジ部８Ｂは操作ボタン５２の背面に取り付けられ、照光体２の全体が操作ボタン５２に一体的に取り付け支持される形となっている。
【００２５】
第１照光部材７において第２照光部材８の対向面となる上面には、導光部材５を介して入射される光を拡散するための傘状の傾斜面７Ｂが突出形成されている。
第２照光部材８の第１照光部材７の対向面となる下面にも、第１照光部材７を介して入射される光を集光させる傘状の傾斜面８Ｃが突出形成されている。
【００２６】
図６を参照し、照光体２の機能について説明する。
車載用操作スイッチ５０のケース５１内に組み込まれた基板３上には表示装置１の光源となるＬＥＤ４が搭載されている。ＬＥＤ４の光は、図６中破線の矢印に示すように、導光部材５を通り、第１照光部材７に入射される。
【００２７】
第１照光部材７は光透過性の高い合成樹脂により形成されているので、第１照光部材７に入射された光は大きい輝度をもって出射される。第１照光部材７から出射される光は、図６中破線の矢印に示すように、傾斜面７Ｂによって拡散されて第２照光部材８に導かれる。
【００２８】
第１照光部材７から出射された光は第２照光部材８に入射される。第２照光部材８に入射される光は傾斜面８Ｃによって集光され入射される構成となっている。
【００２９】
第１照光部材７と第２照光部材８と間には隙間９が形成されているので、従来のように、二色成形により第１照光部材と第２照光部材を形成しても、光路上における各照光部材７、８間で樹脂が混ざり合うことはなく、第１照光部材７から出射される光は大きい輝度を維持した状態で拡散され、そして拡散された光が第２照光部材８に入射される。したがって、大きな輝度で表示窓５５を照光することができる。
【００３０】
このように本実施形態によれば、操作ボタン５２の表示窓５５に臨む照光体２の図形表示部８Ａの色は操作ボタン５２の操作面５３の色と同系色でスモーク色であるので、操作スイッチ５０の未使用時に、表示窓５５から露出している照光体２の色は、操作面５３の色と混ざり合い目立たなくなる。したがって、表示装置１の高級感を得ることができる。
【００３１】
そして、操作スイッチ５０の使用時には、図形表示部８Ａが大きな輝度をもって鮮明に照光されるので、操作スイッチ５０が運転者から離れた位置に配置されていても、車載用操作スイッチ５０のＯＮ状態を確実に視認することができる。
【００３２】
また、第２照光部材８の図形表示部８Ａの幅は第１照光部材７の脚部７Ａ、７Ａ間の幅より狭くなっているので、図形表示部８Ａの全体を大きい輝度をもって照光することができる。
【００３３】
また、フランジ部８Ｂが操作ボタン５２の背面に取り付けられた状態となっているので、表示窓５５から車載用操作スイッチ５０の内部が露出することはなく、車載用操作スイッチ５０の外観が損なわれるようなことはない。また、表示窓５５の隙間をフランジ部８Ｂで塞ぐことができるので、表示窓５５からスイッチ内部への水の浸入を防ぐことができる。
【００３４】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【００３５】
本実施形態では、第１照光部材７の成形材料として乳白色の樹脂を使用した例を説明したが、本発明では、第１照光部材７は光透過性の高い樹脂により成形されればよく、透明な樹脂により成形されたものであってもよい。
【００３６】
また、本実施形態では、第２照光部材８の成形材料として操作ボタン５２の操作面５３の色と同系色のスモーク色の樹脂を使用した例を説明したが、本発明では、第２照光部材８は光透過性が低く、目立たない色の樹脂により成形されていればよい。
【００３７】
また、本実施形態では、直接、表示窓５５に第２照光部材８の図形表示部８Ａを嵌め込んだ例を説明したが、本発明では、表示窓５５が透明な樹脂で埋め込まれ、図形表示部８Ａが表示窓５５を下方から臨むように第２照光部材８が操作ボタン５２に取り付けられた構造のものであってもよい。
【００３８】
また、本実施形態では、第１照光部材７において第２照光部材８の対向面となる上面に導光部材５を介して入射される光を拡散するための傘状の傾斜面７Ｂが突出された例を説明したが、本発明は傘状の傾斜面７Ｂの代わりに曲面を突出形成したものであってもよい。また、本実施形態では、第２照光部材８の第１照光部材７の対向面となる下面に第１照光部材７から入射される光を集光させる傘状の傾斜面８Ｃが突出された例を説明したが、本発明は傘状の傾斜面７Ｃの代わりに曲面を突出形成したものであってもよい。
【００３９】
本実施形態では、表示装置１が車載用操作スイッチ５０に組み込まれた例を説明したが、本発明の表示装置１は単なる表示機能のみを有する電子機器の表示パネルに組み込まれたものであってもよい。
【産業上の利用可能性】
【００４０】
本発明は、照光体を有する表示装置に適用可能である。
【符号の説明】
【００４１】
１・・・・・・・・・表示装置
２・・・・・・・・・照光体
４・・・・・・・・・ＬＥＤ
７・・・・・・・・・第１照光部材
７Ｂ・・・・・・・・傾斜面
８・・・・・・・・・第２照光部材
８Ｃ・・・・・・・・傾斜面
５０・・・・・・・・車載用操作スイッチ
５２・・・・・・・・操作ボタン
５３・・・・・・・・操作面
５５・・・・・・・・表示窓
【図１】
0006783530.tif 000002
【図２】
0006783530.tif 000003
【図３】
0006783530.tif 000004
【図４】
0006783530.tif 000005
【図５】
0006783530.tif 000006
【図６】
0006783530.tif 000007